【手続補正書】
【提出日】平成18年10月19日(2006.10.19)
【手続補正１】
【補正対象書類名】明細書
【補正対象項目名】請求項２
【補正方法】変更
【補正の内容】
【請求項２】  前記傾斜計が１ナノラジアンの分解能と、鉛直から±１０度の測定レンジを持つ自動レベリング機能と、温度計と、を備えていることを特徴とする請求項１記載の傾斜計の設置方法。
【手続補正２】
【補正対象書類名】明細書
【補正対象項目名】請求項６
【補正方法】変更
【補正の内容】
【請求項６】  前記観測孔は深度１２ｍ程度に掘削されることを特徴とする請求項１、２、３、４または５記載の傾斜計の設置方法。
【手続補正３】
【補正対象書類名】明細書
【補正対象項目名】請求項８
【補正方法】変更
【補正の内容】
【請求項８】  前記傾斜計が１ナノラジアンの分解能と、鉛直から±１０度の測定レンジを持つ自動レベリング機能と、温度計と、を備えていることを特徴とする請求項７記載の傾斜計の設置構造。
【手続補正４】
【補正対象書類名】明細書
【補正対象項目名】請求項１１
【補正方法】変更
【補正の内容】
【請求項１１】  前記観測孔は深度１２ｍ程度に掘削されることを特徴とする請求項７、８、９または１０記載の傾斜計の設置構造。
【手続補正５】
【補正対象書類名】明細書
【補正対象項目名】０００２
【補正方法】変更
【補正の内容】
【０００２】
【従来の技術】
従来の傾斜計の設置方法は、図３に示されているように、地表面１０１から地下へ例えば最大設置深度５ｍの観測孔１０３を掘削せしめ、この掘削された観測孔１０３内に、下蓋１０５を装着した塩ビ等からなる上下方向へ延伸し貫通した中空形状のケーシング１０７を挿入せしめる。
【手続補正６】
【補正対象書類名】明細書
【補正対象項目名】０００８
【補正方法】変更
【補正の内容】
【０００８】
さらに、従来の傾斜計１１５には、自動レベリング機能がなく、手動レベリング機能であるため、測定レンジが±０．１５度と小さかった。
【手続補正７】
【補正対象書類名】明細書
【補正対象項目名】００１２
【補正方法】変更
【補正の内容】
【００１２】
請求項２によるこの発明の傾斜計の設置方法は、請求項１記載の傾斜計の設置方法において、前記傾斜計が１ナノラジアンの分解能と、鉛直から±１０度の測定レンジを持つ自動レベリング機能と、温度計と、を備えていることを特徴とするものである。
【手続補正８】
【補正対象書類名】明細書
【補正対象項目名】００１３
【補正方法】変更
【補正の内容】
【００１３】
したがって、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化がとらえられる。また、傾斜計をシビアに設置しなくても、鉛直から±１０度の範囲の傾斜が正確に測定される。さらに、センサ出力の温度補正をするための情報が得られる。
【手続補正９】
【補正対象書類名】明細書
【補正対象項目名】００２０
【補正方法】変更
【補正の内容】
【００２０】
請求項６によるこの発明の傾斜計の設置方法は、請求項１、２、３、４または５記載の傾斜計の設置方法において、前記観測孔は深度１２ｍ程度に掘削されることを特徴とするものである。
【手続補正１０】
【補正対象書類名】明細書
【補正対象項目名】００２１
【補正方法】変更
【補正の内容】
【００２１】
したがって、観測孔が深度１２ｍ程度に掘削され、この観測孔の底に傾斜計を設置することにより、センサは地温の季節変動をほとんど受けずに、より一層正確な傾斜データが測定される。
【手続補正１１】
【補正対象書類名】明細書
【補正対象項目名】００２４
【補正方法】変更
【補正の内容】
【００２４】
請求項８によるこの発明の傾斜計の設置構造は、請求項７記載の傾斜計の設置構造において、前記傾斜計が１ナノラジアンの分解能と、鉛直から±１０度の測定レンジを持つ自動レベリング機能と、温度計と、を備えていることを特徴とするものである。
【手続補正１２】
【補正対象書類名】明細書
【補正対象項目名】００２５
【補正方法】変更
【補正の内容】
【００２５】
したがって、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化がとらえられる。また、傾斜計をシビアに設置しなくても、鉛直から±１０度の範囲の傾斜が正確に測定される。さらに、センサ出力の温度補正をするための情報が得られる。
【手続補正１３】
【補正対象書類名】明細書
【補正対象項目名】００２７
【補正方法】変更
【補正の内容】
【００２７】
したがって、インナケーシング、アウタケーシングがそれぞれ樹脂製のパイプからなっているから、地球磁場が容易に遮断され、耐腐食性が良好であるとともに、軽いから作業性が良好である。
【手続補正１４】
【補正対象書類名】明細書
【補正対象項目名】００３０
【補正方法】変更
【補正の内容】
【００３０】
請求項１１によるこの発明の傾斜計の設置構造は、請求項７、８、９または１０記載の傾斜計の設置構造において、前記観測孔は深度１２ｍ程度に掘削されることを特徴とするものである。
【手続補正１５】
【補正対象書類名】明細書
【補正対象項目名】００３１
【補正方法】変更
【補正の内容】
【００３１】
したがって、観測孔が深度１２ｍ程度に掘削され、この観測孔の底に傾斜計を設置することにより、センサは地温の季節変動をほとんど受けずに、より一層正確な傾斜データが測定される。
【手続補正１６】
【補正対象書類名】明細書
【補正対象項目名】００３３
【補正方法】変更
【補正の内容】
【００３３】
まず最初に本実施の形態に使用する傾斜計１について説明すると、図２を参照するに、傾斜計１は例えば直径６．４ｃｍ、高さ（長さ）１０７ｃｍおよび重量４ｋｇからなり、中空円筒形状の本体ケース３を備えており、この本体ケース３内の下部には自動レベリング機能５が設けられている。この自動レベリング機能５はレベリングプレート７を備え、このレベリングプレート７上に気泡式センサ９が設けられている。前記レベリングプレート７は複数のモータＭを駆動せしめることにより自動レベリングが行われる。また、前記気泡式センサ９の近傍上方には温度計１１が設けられている。
【手続補正１７】
【補正対象書類名】明細書
【補正対象項目名】００３５
【補正方法】変更
【補正の内容】
【００３５】
上記構成により、信号増幅器、アナログ／デジタル変換部１３には１ナノラジアンの分解能を有しているから、地球潮汐の影響による傾斜変化の非常に小さな傾斜変化をとらえることができる。前記本体ケース３内にはコンパス等からなる方位計１７が設けられているから、深い坑井内に設置する際に、気泡式センサ９の方位を合わせる必要が無く設置を容易に行うことができる。信号増幅器、アナログ／デジタル変換部１３におけるアナログアンプの増幅率は通信ケーブルを通してパソコンを用いて変更可能であるため、増幅率変化のために傾斜計の設置し直しする必要がない。
【手続補正１８】
【補正対象書類名】明細書
【補正対象項目名】００３６
【補正方法】変更
【補正の内容】
【００３６】
気泡式センサ９の出力電位は、本体ケース３内の信号増幅器、アナログ／デジタル変換部１３で変換するためノイズに強い。本体ケース３内には温度計１１が設けられているから、気泡式センサ９の出力の温度補正をするための情報を知ることが出来る。また、消費電力は平均２８０ｍＷと小さいので、小型ソーラパネルと小型バッテリの使用で長期間の連続観測が可能である。
【手続補正１９】
【補正対象書類名】明細書
【補正対象項目名】００３９
【補正方法】変更
【補正の内容】
【００３９】
ついで、前記観測孔３３の内周とインナケーシング３７の外周との間に地表面３１からコンクリート３９を流し込み、地表面１０１より低い位置まで流し込む。なお、コンクリート３９は前記下蓋３５の下まで流し込まれる。前記コンクリート３９を流し込む際にインナケーシング３７が動いて観測孔３３の側部に偏らないようにするために、ダートをインナケーシング３７の周囲に少量投入してインナケーシング３７の位置を固定させる。前記コンクリート３９としては適度の流下のためにウエットサンドのコンクリートを使用するのが好ましい。しかも、地表面３１から深度４フィート（１．２ｍ）の所に達するまでコンクリート３９を流すのがよい。
【手続補正２０】
【補正対象書類名】明細書
【補正対象項目名】００４１
【補正方法】変更
【補正の内容】
【００４１】
前記コンクリート３９の上面にダート４３を６インチ（１５．２ｃｍ）程投入する。この状態で突出されたインナケーシング３７の上面に、このインナケーシング３７より大きな樹脂製の例えば塩ビパイプ等からなる上下方向へ延伸し貫通した中空形状のφ６インチ（１５．２ｃｍ）×長さ６フィート（１．８ｍ）の上下方向へ貫通した中空形状のアウタケーシング４５を被せると共にこのアウタケーシング４５の下端部がコンクリート３９の上面に投入したダート４３層の上面にうずまるまで押下せしめる。
【手続補正２１】
【補正対象書類名】明細書
【補正対象項目名】００４４
【補正方法】削除
【補正の内容】
【手続補正２２】
【補正対象書類名】明細書
【補正対象項目名】００４６
【補正方法】変更
【補正の内容】
【００４６】
傾斜計１が１ナノラジアンの分解能と、鉛直から±１０度の測定レンジを持つ自動レベリング機能５と、温度計１１と、を備えているから、地球潮汐の影響による傾斜変化の非常に小さな傾斜変化をとらえることができる。また、傾斜計１をシビアに設置しなくても、鉛直から±１０度の範囲の傾斜を正確に測定することができる。さらに、センサ出力の温度補正をするための情報を得ることができる。
【手続補正２３】
【補正対象書類名】明細書
【補正対象項目名】００５０
【補正方法】変更
【補正の内容】
【００５０】
観測孔３３が深度１２ｍ程度に掘削され、この観測孔３３の底に傾斜計１を設置することにより、センサは地温の季節変動をほとんど受けずに、より一層正確な傾斜データを測定することができる。
【手続補正２４】
【補正対象書類名】明細書
【補正対象項目名】００５３
【補正方法】変更
【補正の内容】
【００５３】
請求項２の発明によれば、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化をとらえることができる。また、傾斜計をシビアに設置しなくても、鉛直から±１０度の範囲の傾斜を正確に測定することができる。さらに、センサ出力の温度補正をするための情報を得ることができる。
【手続補正２５】
【補正対象書類名】明細書
【補正対象項目名】００５７
【補正方法】変更
【補正の内容】
【００５７】
請求項６の発明によれば、観測孔が深度１２ｍ程度に掘削され、この観測孔の底に傾斜計を設置することにより、センサは地温の季節変動をほとんど受けずに、より一層正確な傾斜データを測定することができる。
【手続補正２６】
【補正対象書類名】明細書
【補正対象項目名】００５９
【補正方法】変更
【補正の内容】
【００５９】
請求項８の発明によれば、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化をとらえることができる。また、傾斜計をシビアに設置しなくても、鉛直から±１０度の範囲の傾斜を正確に測定することができる。さらに、センサ出力の温度補正をするための情報を得ることができる。
【手続補正２７】
【補正対象書類名】明細書
【補正対象項目名】００６０
【補正方法】変更
【補正の内容】
【００６０】
請求項９の発明によれば、インナケーシング、アウタケーシングがそれぞれ樹脂製のパイプからなっているから、地球磁場が容易に遮断され、耐腐食性を良好にすることができると共に、軽いから作業性を良好にすることができる。
【手続補正２８】
【補正対象書類名】明細書
【補正対象項目名】００６２
【補正方法】変更
【補正の内容】
【００６２】
請求項１１の発明によれば、観測孔が深度１２ｍ程度に掘削され、この観測孔の底に傾斜計を設置することにより、センサは地温の季節変動をほとんど受けずに、より一層正確な傾斜データを測定することができる。
【手続補正２９】
【補正対象書類名】明細書
【補正対象項目名】図面の簡単な説明
【補正方法】変更
【補正の内容】
【図面の簡単な説明】
【図１】
この発明の傾斜計を設置する設置構造の正面断面図である。
【図２】
傾斜計の１例の断面図である。
【図３】
従来の傾斜計を設置する設置構造の正面断面図である。
【符号の説明】
１  傾斜計
３  本体ケース
５  自動レベリング機能
９  気泡式センサ
１１  温度計
１７  方位計
３１  地表面
３３  観測孔
３５  下蓋
３７  インナケーシング
３９  コンクリート
４１  乾燥硅砂
４３  ダート
４５  アウタケーシング
４７  バッテリ
４９  上蓋
５１  ソーラパネル
５３  ケーブル
【手続補正３０】
【補正対象書類名】図面
【補正対象項目名】図２
【補正方法】変更
【補正の内容】
【図２】
2001116548.tif 000001
【手続補正３１】
【補正対象書類名】図面
【補正対象項目名】図３
【補正方法】変更
【補正の内容】
【図３】
2001116548.tif 000002